(57)【要約】ゴルフボールの全体外表面上に配設される多数のディンプルとして構成されたディンプル領域に対し、ディンプルが存在しない無ディンプル領域を１個所以上有するゴルフボールにおいて、無ディンプル領域はゴルフボールの軸中心を過ぎる軸中心線上に対向して位置し、他のディンプルにより囲まれた２つのディンプルがない無ディンプル領域であり、無ディンプル領域の提供により減少した全体ゴルフボールの体積を補償するためにディンプル領域のディンプルの陷入する円弧の直径のサイズを可変的に分布させて構成し、一対の無ディンプル領域はゴルフボールの製造時に金型内でアウターカバーが接合されて形成されるシームラインに対して垂直なポール部に各々位置し、ディンプル領域のディンプルは、無ディンプル領域を連結しながらゴルフボールの軸中心を過ぎる軸中心線に垂直な直線に対して対称となるようにディンプルが配設される。
2015529511.tif 000002
【特許請求の範囲】
【請求項１】
ゴルフボールの全体外表面上に配設される多数のディンプルとして構成されたディンプル領域に対し、前記ディンプルが存在しない無ディンプル領域を１個所以上有するゴルフボールにおいて、
前記無ディンプル領域はゴルフボールの軸中心を過ぎる軸中心線上で反対向して位置しながら他のディンプルにより囲まれた２つのディンプルがない無ディンプル領域であり、
前記無ディンプル領域の提供により減少した全体ゴルフボールの体積を補償するためにディンプル領域のディンプルの陷入する円弧の直径のサイズを可変的に分布させて構成したことを特徴とする
ゴルフボール。
【請求項２】
前記一対の無ディンプル領域はゴルフボールの製造時に金型内でアウターカバーが接合されて形成されるシームラインが構成する赤道面と、ゴルフボールの軸中心を過ぎる軸中心線が垂直する軸中心線上で反対向するポール部に各々位置することを特徴とする
請求項１に記載のゴルフボール。
【請求項３】
前記ディンプル領域のディンプルは、前記無ディンプル領域を連結しながらゴルフボールの軸中心を過ぎる軸中心線とは垂直するゴルフボールの外表面中心線である赤道線に対して対称となるようにディンプルが配設されることを特徴とする
請求項１に記載のゴルフボール。
【請求項４】
前記無ディンプル領域の提供により減少した前記全体ゴルフボールの体積を補償するために、前記無ディンプル領域を連結しながらゴルフボールの軸中心を過ぎる軸中心線とは垂直するゴルフボールの外表面中心線である赤道線に対して対称となるように、前記ディンプルの直径のサイズを可変的に対称分布させて構成したことを特徴とする
請求項１に記載のゴルフボール。
【請求項５】
前記ディンプル領域のディンプルに囲まれて形成される無ディンプル領域の直径は７〜２０ｍｍであることを特徴とする
請求項１に記載のゴルフボール。
【請求項６】
前記無ディンプル領域には製造者のロゴ、記号、符号のように視認性の高い視認マークを印刷してさらに有することができることを特徴とする
請求項１から５のうち、いずれか一項に記載のゴルフボール。
【請求項７】
前記ゴルフボールの外表面には前記無ディンプル領域を視覚的に連結する直線上の符号、直線のように打球方向を認識させる打撃方向指示マークを印刷してさらに有することができることを特徴とする
請求項１から５のうち、いずれか一項に記載のゴルフボール。
【請求項８】
前記ゴルフボールの外表面には前記無ディンプル領域を視覚的に連結する直線上の符号、直線のように打球方向を認識させる打撃方向指示マークを印刷してさらに有することができることを特徴とする
請求項６に記載のゴルフボール。
【発明の詳細な説明】
【技術分野】
【０００１】
本発明はゴルフボールに関し、より詳しくは、ゴルフボールの幾何学的な構成と機能の改善によりゴルフボールのパッティングまたは打球時の打球正確度と自家方向調節機能による直進度を増大し、多様な効果を得るための構成のゴルフボールに関する。
【背景技術】
【０００２】
本発明はゴルフボールに関するものである。心理的で、かつ空気力学的な観点、材料の改善に基づいてゴルフボールに対しては多様な改善と研究がなされている。
【０００３】
特に、ゴルフボールの材質、内部の弾性材の改善、多層構成の改善などと共に、多い研究がなされているものがゴルフボールの表面の陷入した凹部であるディンプル（Ｄｉｍｐｌｅ）の配置及び形状、寸法などに関するものである。
【０００４】
ディンプルは空気力学的に飛行時にディンプルにより発生する揚力を増大させて飛距離を増大させるために提供されるものであって、大部分の従来からのゴルフボールのディンプルはゴルフボールの表面を占有する多数の陷入した多様な形状、特に、半円球体である陷入部として提供され、研究によるデータに基づいて実用的に採用されているゴルフボールはディンプルの占有領域が全体ゴルフボールの外周面積の７２％内外として構成されて使われている。
【０００５】
このような理論と実用化に基づいて長い間、ディンプルが必須の要素で、かつ当然の構成として認識されているが、むしろこのようなディンプルが存在することによって引き起こされる問題点も発見されている。
【０００６】
代表的なものとしてはパッティングなどの打球方向の直進のようにゴルファーが意図する打球方向にゴルフボールを送る効果が重要な打球でのゴルフボールの方向性の問題にある。
【０００７】
具体的に例を挙げれば、パターのヘッドのフェース面が前述した本出願人の先出願で既に図示したように、即ち、図１（ａ）に示すように、ゴルフボールＢのディンプルＤがない部分の非ディンプル円弧部Ｐに打球されれば、即ち、接線（ｔａｎｇｅｎｔｉａｌ）した方向に打球されれば、ゴルファーの希望の方向にゴルフボールが進行するようになる。
【０００８】
しかし、このような場合はその確率が極めて低く、大部分の場合は、ディンプル部にパターのヘッドのフェース面が当たる場合、即ち、ゴルフボールＢのディンプルＤの外周縁線を連結する接線ｃｌ方向に当たる場合は極めて少なく、大部分は図１（ｂ）または図１（ｃ）のように、陷入した半円弧形状体であるディンプルのエッジ（Ｅｄｇｅ）である隅部ｄｌｌを打撃するようになって、多様な角度の意図しない打球角が形成され、それによってゴルファーが意図しない方向にゴルフボールが進むようになる。
【０００９】
ロボット打球実験器で実験した結果、やはり本発明者の先出願で図示した図２のように、ゴルフボールＢが置かれた打球点ＳＰでホールＨのホールカップＣに向かう目標地点までゴルフボールＢを打球するに当たって、パターヘッドがゴルフボールＢを打撃する微視的な時点から見ると、打角（α：図１ｂの場合）と打角（β：図１ｃの場合）のような場合になって、打撃の以後のゴルフボールＢの進路は相当な程度の距離（ａ、ｂ）として目標地点であるホールカップＣから外れるようになる。
【００１０】
実験の結果、ディンプルＤの隅部ｄｌにパターヘッド（図示せず）が打球されて１〜３度（平均して２度）位の角度の変換が生じ、これによって、２ｍの距離からパッティング時には、２度では６．９８ｃｍ、３度では１０．４８ｃｍ位ホールカップＣから外れ、５ｍの距離では、２度では１７．４６ｃｍ、３度では２６．２０ｃｍ位ホールカップＣから外れるようになることが明らかになった。
【００１１】
このような点を勘案して従来にも多様な研究が遂行されたものであり、ゴルフボールのディンプルの形状の変化、ディンプル代用に使用可能な多様な形状の格子紋を形成して飛距離を最小限犠牲させながらも正確度を増大した構成などが案出された。
【００１２】
市場に広く知られた他の先米国特許では、ゴルフボールの直径方向に配設されたバンド型領域を構成し、この領域にはディンプルの直径が極めて小さい小径のディンプルを形成して打球時の直進性を増大したものが案出されているが、ディンプルが存在しない領域が広過ぎて飛距離の顕著な低下の虞があり、実際的な方向調節による直進性の改善効果は微々たるので、実用性が極めて低いという問題点があった。
【００１３】
このような点を勘案して本出願人は前述した特許出願第１０−２０１１−０１０４７５０号である「パッティング誤差減少型ゴルフボール」としてディンプルが形成されない領域を有するゴルフボールを提案したことがあり、また、他の特許権存続期間が満了した先出願、先特許により既にゴルフボール上にディンプルがない領域を設定することは公知、公用の技術として認識されるところがあり、そのような先行技術の代表的なものとしては、以下のような先願が存在する。
【００１４】
特開平９−１１７５３１号公報では、小径の小孔をディンプル部に形成してパッティング時の方向性を改善した構成を開示している。
【００１５】
特開２００１−３２１４６１号公報では、選択的にディンプルがない領域である無ディンプル部を格子状、円弧状に対称にして提供して、やはりパッティング時の方向性を改善した構成を開示している。
【００１６】
韓国特許第１０−０８９７６２５号公報は、ゴルフボールの赤道線に沿ってバンド形状の領域に小さいサイズのディンプルを配置することで、パッティング時の方向性を改善している。
【００１７】
消滅された米国特許第４，２５８，９２１号明細書では、バンド形状及びこのバンド形状体と協同する四角形状の無ディンプル部（Ｕｎｄｉｍｐｌｅｄ  ｐａｔｃｈ）をディンプル部と共に形状してスムーズなパター接続面を提供して方向性を改善した構成を開示している。
【００１８】
米国特許第５，６６２，５３０号明細書では、ゴルフボールに提供されるディンプルの直径より大きいサークル（Ｃｉｒｃｌｅ）を垂直−水平方向または円弧状に配設する構成のみを開示している。
【００１９】
また、１９７２年から米国で使用してきたゴルフボールの赤道領域のディンプルのサイズを小さくして、人為的に抵抗を引き起こして、ボールが赤道領域に対して垂直軸を中心に回転し難くすることによって、横に曲がらないで直進するようにする構成が案出されて使われたが、赤道領域に従うバンドを構成することによって、飛距離が大幅減少し、多様な角度の打球では常に同一な効果が得られないということが明らかになって、最近にはその使用が減少している。
【００２０】
上記の従来からの先出願及び登録特許の内容と権利期間が消滅された特許の技術内容から既にゴルフボールの外表面上にディンプル領域に無ディンプル領域を提供する技術的な思想は当該業界で公知された技術であることが分かる。
【先行技術文献】
【特許文献】
【００２１】
【特許文献１】特開平９−１１７５３１号公報
【特許文献１】特開２００１−３２１４６１号公報
【特許文献１】韓国特許第１０−０８９７６２５号公報
【特許文献１】米国特許第４，２５８，９２１号明細書
【特許文献１】米国特許第５，６６２，５３０号明細書
【発明の概要】
【発明が解決しようとする課題】
【００２２】
このような先願技術において、ゴルフボールにディンプルが存在しない多様な形状の無ディンプル部を形成することは、既に公知、公用の技術として当業界では認識されているが、これらの先願は無ディンプル領域部を多様な形状体と分布としてゴルフボールの表面に提供するものとしてその構成を果たしているが、実際的な適用をして実験して見ると、以下のような問題点が発見される。
【００２３】
ディンプルが形成されたゴルフボールに単純に多様な形状や配列の無ディンプル領域を提供するようになれば、前述する正確度の向上には効果が理論的にはあるが、他のディンプルの一般的な配列パターンと単純に無ディンプルの領域を提供しているので、空気抵抗が増大し、それによって飛距離の大幅な減少が発見されて、その元の目的を達成できない。
【００２４】
多様な形状のディンプルがない領域である無ディンプル部を提供することによって、全体的なゴルフボールの体積（Ｖｏｌｕｍｅ）が増大して、それに従う空気抵抗の増大による飛距離の減少と方向性の調節が困難な問題と共に、心理的な要素が主要な変数であるゴルフでのゴルファーの打感の変動や国際規格の不適合などの問題点が存在することが発見された。
【００２５】
本発明は、このような公知、公用の先技術に基づいて限定的な技術構成を規定し、延いては、その構成をより改善して従来技術が有している諸問題を解決することによって、新規性と進歩性を増進させた構成を提供しようとする。
【００２６】
本発明のゴルフボールは、上記の従来先願の問題点を勘案してゴルフボール自体の自家的な方向性制御効果によって、パッティングの正確度及びその無ディンプルの位置を確定することによって、飛距離の増大効果も可能にし、延いてはゴルファーの心理的な面の効果をより与えることによって、安定した打球が可能なゴルフボールを提供することを目的とする。
【課題を解決するための手段】
【００２７】
本発明のゴルフボールは、上記のような問題点を解決するために発明したものであって、ゴルフボールのパッティング時のディンプルによるパッティング角度の歪みを最小化してパッティングの正確度を提供するなどの有用性を提供するために、ゴルフボールの全体外表面上に配設される多数のディンプルとして構成されたディンプル領域に対し、上記ディンプルが存在しない無ディンプル領域を１個所以上有するゴルフボールにおいて、上記無ディンプル領域はゴルフボールの軸中心を過ぎる軸中心線上で反対向して位置しながら他のディンプルにより囲まれた２つのディンプルがない無ディンプル領域であり、上記無ディンプル領域の提供により減少した全体ゴルフボールの体積を補償するためにディンプル領域のディンプルの陷入する円弧の直径のサイズを可変的に分布させて構成したことは基本的な特徴である。
【００２８】
上記一対の無ディンプル領域が、ゴルフボールの製造時に金型内でアウターカバーが接合して形成されるシームラインが構成する赤道面と、ゴルフボールの軸中心を過ぎる軸中心線が垂直する軸中心線上で反対向するポール部に各々位置することは、全体発明を構成する限定的で、かつ制限的な構成である。
【００２９】
上記ディンプル領域のディンプルが、上記無ディンプル領域を連結しながらゴルフボールの軸中心を過ぎる軸中心線とは垂直するゴルフボールの外表面中心線である赤道線に対して対称となるようにディンプルが配設されることは、全体発明を構成する限定的で、かつ制限的な構成である。
【００３０】
上記無ディンプル領域の提供により減少した上記全体ゴルフボールの体積を補償するために、上記無ディンプル領域を連結しながらゴルフボールの軸中心を過ぎる軸中心線とは垂直するゴルフボールの外表面中心線である赤道線に対して対称となるように、上記ディンプルの直径のサイズを可変的に対称分布させて構成することは、全体発明を構成する限定的で、かつ制限的な構成である。
【発明の効果】
【００３１】
本発明のゴルフボールでは、ゴルフボール上のディンプル領域に無ディンプル領域を提供する技術的な思想に加えて、ゴルフボールの直進性を増大し、飛距離の増大効果まで提供することを特徴としている。
【００３２】
（１）前述したように、パッティング時にはディンプルの隅部に打球されることによって、直進性が低下して方向調節のコントロールが難しいという問題を解決することができる。
【００３３】
（２）パッティング時に無ディンプル領域（ＮＤ１、ＮＤ２）に形成された視認性ロゴ及び無ディンプル領域（ＮＤ１、ＮＤ２）を連結する打球方向指示マークの存在によってゴルフボールＧを打球方向に容易に設定することができ、無ディンプル領域自体がこのような視認性ロゴなどによりカバーされることによって、使用者であるゴルファーはこれを認識できなくして心理的な安定性、即ちイップス（ＹＰＳ）が解決されるようにする。
【００３４】
（３）ティーショット時には無ディンプル領域（ＮＤ１、ＮＤ２）の視認性ロゴによって正確な打球が誘導され、ゴルフボールのポール部（後述する）に無ディンプル領域を提供することによって空気力学的に飛距離が増大することが実験結果として明らかになった。
【００３５】
（４）無ディンプル領域（ＮＤ１、ＮＤ２）が存在することによって、前述したように、ゴルフボールが飛ぶ時の直進性を回復して維持しようとする自家方向調節機能（Ｓｅｌｆ  ｃｏｎｔｒｏｌｌｉｎｇ  ｅｆｆｅｃｔ  ｏｆ  ｔｈｅ  ｄｉｒｅｃｔｉｎｇ）が与えられて方向性が改善され、風が多い日にも風による影響が極小化されるなどの作用効果を提供する。
【図面の簡単な説明】
【００３６】
【図１】従来のゴルフボールのディンプル構成の問題点を説明する本出願人の先出願に開示された説明図である。
【図２】従来のゴルフボールのディンプル構成の問題点を説明する本出願人の先出願に開示された図１（ｂ）及び図１（ｃ）と関連した説明図である。
【図３】本発明の基本的な構成を示すゴルフボールの好ましい実施形態の斜視図である。
【図４】本発明の基本的な構成を示すゴルフボールの変形された実施形態の斜視図である。
【図５ａ】本発明のゴルフボールの自家方向調節機能の作動を説明する説明図である。
【図５ｂ】本発明のゴルフボールの自家方向調節機能の作動を説明する説明図である。
【図６ａ】本発明のゴルフボールの打球時の飛距離増大の理由を説明する説明図である。
【図６ｂ】本発明のゴルフボールの打球時の飛距離増大の理由を説明する説明図である。
【図７ａ】適用される原理を説明するためのゴルフボール製作時の金型内でのゴルフボールの断面図である。
【図７ｂ】ゴルフボール製作時の金型内で射出されて製造されるゴルフボールの射出後の形態を示す斜視図である。
【図８】本発明のゴルフボールのディンプルの配置の一実施形態を示す例示的なゴルフボールの平面図である。
【図９】本発明のゴルフボールのディンプルの好ましい領域配置を示す他の一実施形態であるゴルフボールの正面図である。
【図１０】本発明のゴルフボールのディンプルの好ましい領域配置を示す他の実施形態の斜視正面図である。
【図１１】本発明のゴルフボールのディンプルの好ましくない領域配置を示す一実施形態の正面図である。
【図１２】図６の説明と関連して本発明のゴルフボールの効果を立証するために実施する打球試験方法の基準方向を説明する説明図である。
【図１３】本発明により構成されたゴルフボールと他社メーカーのゴルフボールとを対比して試験した飛距離の実験図表である。
【図１４】本発明により構成されたゴルフボールと他社メーカーのゴルフボールとを対比して試験した飛距離のグラフ図である。
【図１５】本発明により構成されたゴルフボールと他社メーカーのゴルフボールとを対比して試験した方向直進性の増大を立証する実験図表である。
【図１６】本発明により構成されたゴルフボールと他社メーカーのゴルフボールとを対比して試験した方向直進性の増大を立証するグラフ図である。
【図１７】本発明により構成されたゴルフボールの好ましいパッケージングを示す斜視図である。
【発明を実施するための形態】
【００３７】
以下、添付の図面と関連して上記の目的を達成するための本発明のゴルフボールの好ましい構成と作用を説明すると、次の通りである。
【００３８】
図３は本発明の基本的な構成を示すゴルフボールの好ましい実施形態の斜視図、図４はゴルフボールの変形された実施形態の斜視図、図５ａ及び図５ｂは自家方向調節機能の作動を説明する説明図、図６ａ及び図６ｂは飛距離増大の理由を説明する説明図、図７ａは本発明に適用される原理を説明するためのゴルフボール製作時の金型内でのゴルフボールの断面図、図７ｂはゴルフボール製作時の金型内で射出されて製造されるゴルフボールの射出後の形態を示す斜視図、図８はゴルフボールのディンプルの配置の一例示を示す例示的なゴルフボールの平面図、図９はゴルフボールのディンプルの好ましい領域配置を示す他の一実施形態であるゴルフボールの正面図、図１０はゴルフボールのディンプルの好ましい領域配置を示す他の実施形態の斜視正面図、図１１はゴルフボールのディンプルの好ましくない領域配置を示す一実施形態の正面図、図１２は図６の説明と関連して本発明のゴルフボールの効果を立証するために実施する打球試験方法の基準方向を説明する説明図、図１３は本発明のゴルフボールと他社メーカーのゴルフボールとを対比して試験した飛距離の実験図表、図１４は本発明のゴルフボールと他社メーカーのゴルフボールとを対比して試験した飛距離のグラフ図、図１５は本発明のゴルフボールと他社メーカーのゴルフボールとを対比して試験した方向直進性の増大を立証する実験図表、図１６は本発明のゴルフボールと他社メーカーのゴルフボールとを対比して試験した方向直進性の増大を立証するグラフ図、図１７は本発明のゴルフボールの好ましいパッケージングを示す斜視図であって、共にまたは順次に説明する。
【００３９】
本発明のゴルフボールＧでは、前述した先出願で公知化されたディンプル領域の間にランダムに、または非定型的に無ディンプルを提供する公知された技術的な思想に基づいて空気力学的な技術的構成を限定的に提供することによって、従来構成の問題点を解決しようとする。
【００４０】
本発明のゴルフボールの基本的な構成が適用される基本実施形態が図３に図示される。
【００４１】
ゴルフボールＧに対し、その外表面Ｓ上に多数のディンプルＤを有し、このディンプルＤが形成する全体ディンプル領域ＤＡに対して直径を横切る軸中心線ＣＬに沿う線上の外表面Ｓに反対向して位置し、対称に位置する位置上に、単に２つの無ディンプル領域（ＮＤ１、ＮＤ２）のみを提供する。
【００４２】
上記の無ディンプル領域（ＮＤ１、ＮＤ２）ということは、ディンプル領域ＤＡに形成されたディンプルＤが存在せず、ディンプル領域ＤＡの外周縁がなす円弧ＯＣに沿ってそのまま球体面が露出した形態であり、ディンプル領域ＤＡのディンプルＤにより囲まれて自然的に形成される領域として存在し、その直径は実験的に明らかになった結果、７〜２０ｍｍが好ましかった。
【００４３】
例示的には、図８のように、９個のディンプル領域ＤＡのディンプル（ｄ１、ｄ２、...ｄ９）により囲まれた略円形体を構成する形状である。
【００４４】
勿論、実験的にこのような無ディンプル領域（ＮＤ１、ＮＤ２）が９個のディンプル（ｄ１、ｄ２、...ｄ９）のみに囲まれたディンプルが形成されていない領域に限定するものではなく、無ディンプル領域（ＮＤ１、ＮＤ２）が軸直径方向線である軸中心線ＣＬに対して外表面Ｓ上にディンプル領域ＤＡのディンプルＤが対称的に配設されて形成するディンプルが形成されていない領域であればよい。
【００４５】
本発明において、無ディンプル領域（ＮＤ１、ＮＤ２）を直径方向に対向して位置する２つの領域のみに限定することは、後述する説明と同一な理由により、もし３個以上の無ディンプル領域が形成されれば、幾何学的な理由に基づいて飛距離と方向性にむしろ否定的な影響が表れることが実験結果として明らかになった。
【００４６】
このようなゴルフボールＧの表面上に無ディンプル領域（ＮＤ１、ＮＤ２）を形成するようになれば、必然的にゴルフボールＧ自体の体積が減少する。
【００４７】
通常、公認されたゴルフボールＧの体積である６００〜８００ｍｍ３と規定され、ゴルファーはこのようなゴルフボールＧの体積感に慣れているので、微小な体積の増加でも打球時の負担感を感じるようになり、これはゴルフが極めて心理的な要因によりその成績が左右される点から見て、非常に主要な要素である。
【００４８】
本発明では、ゴルフボールＧの無ディンプル領域（ＮＤ１、ＮＤ２）を提供すると共に、必須な構成要素としてディンプル領域ＤＡのディンプルＤの直径を差等化してサイズが異なるように構成し、そのような差等化したサイズのディンプルＤを幾何学的に対称にする形状に配設するものである。
【００４９】
これは、ゴルフボールＧの外表面Ｓ上に無ディンプル領域（ＮＤ１、ＮＤ２）を形成することによって、必然的に全体ゴルフボールＧの体積は増大し、このような体積の増大はゴルファーに慣れない打感を与えて、それによって飛距離が減少し、ある場合には公認球としての規格から外れる問題点を同時に解決するためのものである。
【００５０】
ディンプル領域ＤＡでのディンプルＤの多様な直径サイズと配置形状は無数に構成できるが、上記の無ディンプル領域（ＮＤ１、ＮＤ２）を囲むディンプル領域ＤＡのディンプルの配設は例示的には図８のように、無ディンプル領域（ＮＤ１、ＮＤ２）を形成しながら、ディンプル領域ＤＡのディンプルの直径を各々異なる５種類のディンプル（ｄａ、ｄｂ、ｄｃ、ｄｄ、ｄｅ）のディンプル直径サイズを有するように構成し、これら各々のディンプルが構成する領域を一定の形状の多角形などで構成して無ディンプル領域（ＮＤ１、ＮＤ２）が連結されて形成する軸中心線ＣＬに対して垂直な外表面上の中心線上で左右対称になるように配設することがよい。
【００５１】
例示的には、ゴルフボールを上面視した平面図であり、区分されるディンプル領域を直線で、説明のために参照として図示する図８のように、無ディンプル領域（ＮＤ１、ＮＤ２）を形成するために囲むディンプル（ｄａ：ｄ１、ｄ２、...ｄ９）の直径４．１ｍｍ、無ディンプル領域（ＮＤ１、ＮＤ２）を囲むディンプル（ｄａ：ｄ１、ｄ２、．．ｄ９）をまた囲むディンプル領域ＤＡのディンプル（ｄｂ）の直径を４．０ｍｍ、無ディンプル領域（ＮＤ１、ＮＤ２）を形成するために囲むディンプル（ｄａ：ｄ１、ｄ２、．．ｄ９）が形成する多角形領域が合う地点の隅部のディンプル（ｄｃ）の直径は３．８ｍｍ、ディンプル領域ＤＡのディンプル（ｄｂ）を充填するディンプル（ｄｄ）の直径は４．５ｍｍ、ディンプル（ｄｅ）の直径は４．５ｍｍ、多角形領域を充填するディンプル（ｄｅ）は４．４ｍｍにする形式で無ディンプル領域（ＮＤ１、ＮＤ２）が連結されて形成する軸中心線ＣＬの軸中心Ｃに垂直な中心線である赤道線Ｑに対して幾何学的に対称になるように構成するものである。
【００５２】
このような方法によりディンプルを配設することによって、垂直軸に対して幾何学的に対称になるように構成して全体ゴルフボールＧの体積を公認規格、例えば８００ｍｍ３を満たすことができる。
【００５３】
無ディンプル領域（ＮＤ１、ＮＤ２）を形成するディンプル領域ＤＡのディンプルの配置の極端な実施形態が図９に図示されるものであって、全体ゴルフボールＧの体積は維持しながら無ディンプル領域（ＮＤ１、ＮＤ２）が連結されて形成する軸中心線ＣＬに対して垂直するゴルフボールの外表面の赤道線Ｑの左右のディンプル領域ＤＡが対称になるように配置されながらディンプル（ＤＡ、ＤＢ、ＤＣ．．）の直径のサイズは無ディンプル領域（ＮＤ１、ＮＤ２）に行くほど順次に減少または増加するように構成することができる。
【００５４】
他の実施形態としては、若干の斜視角度を見て図示する正面図である図１０のような対称になった領域（即ち、サイズが互いに異なるディンプル（図示せず）が集まって形成する多角形状のディンプル領域：Ｄ−１、Ｄ−１´、Ｄ−２、Ｄ−２´、Ｄ−３、Ｄ−３´）に区分されたゴルフボールＧを無ディンプル領域（ＮＤ１、ＮＤ２）の間に構成することもできる。
【００５５】
図１１は、このような考慮無しで単純にゴルフボールに従来のような配設方式により形成されたディンプルの配置に提供する場合のディンプルが形成する領域が、区画線（実際にゴルフボールに存在する線ではない、ディンプルが集まって形成する領域線を例示的に図示したものである：ｌ１、ｌ２、ｌ３．．）で構成されて分割される形状を例示的に図示したものであって、如何なる対称性も存在しないので本発明に採用できない。
【００５６】
勿論、上記のディンプル（ｄａ、ｄｂ、ｄｃ、ｄｄ、ｄｅ）の構成は例示的なものであって、無ディンプル領域（ＮＤ１、ＮＤ２）が形成する垂直軸に対して両側が幾何学的な対称に形成すれば、如何なる配置のものであっても適用可能であることは勿論である。
【００５７】
本発明におけるゴルフボールＧが従来の先出願の無ディンプル領域を構成したゴルフボールと差別される主要な技術的な思想を説明する。
【００５８】
また、コアとカバーとの間に形成される層数に従って２、３、４、５などのピースゴルフボールに区分（図示する構成は２ピースゴルフボールである）しており、通常、ピース数が多いほどゴルフボールのスピン効果と打感は増大する。
【００５９】
図７ａの模式的な説明図のように、ゴルフボールＧはその内部にコアＣＲ（ｃｏｒｅ）を多様な構成として形成し、その外方にアウターカバーＣＶを射出により形成するようになるが、半分に分かれた一対の金型（Ｆ１、Ｆ２）の間にコアＣＲが中心部に安置され、アウターカバーＣＶを射出成形して構成される。
【００６０】
したがって、アウターカバーＯＣは金型（Ｆ１、Ｆ２）が圧着のために分離され接合する境界面Ｍの接合面でのシームラインＳＬ（Ｓｅａｍ  Ｌｉｎｅ）が形成され、このシームラインＳＬに従う断面領域の密度と、シームラインＳＬに対して直角するポール部ＰＰ（Ｐｏｌｅ  ｐａｒｔ）の密度は以下の理由により互いに相異する密度分布を形成するようになり、通常、接合部であるシームラインＳＬ側がシームラインＳＬに垂直するポール部ＰＰに比べて密度が低く形成される。
【００６１】
これは、射出された後、金型（Ｆ１、Ｆ２）から皮脱した半製品が図７ｂでその理由が説明される。
【００６２】
金型（Ｆ１、Ｆ２）の内で多数個のゴルフボールＧを一度に成形するために分枝された枝であるステムＳＴから金型（Ｆ１、Ｆ２）の注入部への分枝ステムＴＴが形成され、この分枝ステムＴＴ側に金型（Ｆ１、Ｆ２）が合う接続面ＭでのシームラインＳＬがゴルフボールＧの表面に形成される。
【００６３】
アウターカバーＣＶの射出注入時に溶融された樹脂は多数個の分枝ステムＴＴから同時に矢印のように外表面に流入しながらゴルフボールの南北極を連結する位置（「ポール部」（ｐｏｌｅ  ｐａｒｔ）という）で合うようになり、ここで圧縮されることによって、このポール部の密度が相対的に高くなる。
【００６４】
したがって、このポール部に打撃を加えれば、他の部位に比べて重量性が増大し、その作用は後述するように、飛距離の増大として表れるようになる。
【００６５】
本発明の目的に符合するように、無ディンプル領域（ＮＤ１、ＮＤ２）は上記のシームラインＳＬまたはポール部ＰＰに位置することが好ましく、これはシームラインＳＬまたはポール部ＰＰでない他の領域位置、即ち無ディンプル領域（ＮＤ１、ＮＤ２）が連結される直線である軸中心線ＣＬが垂直でない他の傾斜角に存在するようになれば、ゴルフボールＧの全体の重量分布差によってゴルフボールＧが軸を中心に回転するこまの重量分布が異なることに起因する揺れ（数回）が発生して、後述するゴルフボールＧの無ディンプル領域（ＮＤ１、ＮＤ２）による効果である直進度が減少するためである。
【００６６】
本発明のゴルフボールＧでは無ディンプル領域（ＮＤ１、ＮＤ２）を２個所形成するに当たってシームラインＳＬに対して垂直なポール部ＰＰに形成することを特徴とし、これは後述する実験結果で立証されるように、シームラインＳＬに形成したものよりポール部ＰＰに無ディンプル領域（ＮＤ１、ＮＤ２）を形成したものがより好ましいことに起因する。
【００６７】
しかしながら、必要の場合、後述する実験のように、シームラインＳＬに形成する場合、ゴルフボールＧの弾道の高度が高く形成されるので、そのような目的として採用することができる。
【００６８】
これによって、本発明のゴルフボールＧの主要な観点の１つとしては、無ディンプル領域（ＮＤ１、ＮＤ２）を２個所構成するに当たって、無ディンプル領域（ＮＤ１、ＮＤ２）を、好ましくはポール部ＰＰに形成し、選択的にはシームラインＳＬにも形成することができる。
【００６９】
これは、本発明により製作された２つの２ピースと３ピースのゴルフボールＧを有し、各々シームラインＳＬとポール部Ｐに無ディンプル領域（ＮＤ１、ＮＤ２）を形成してロボット打球実験器で実験した結果、後述するように、図１２の図表（図表で本発明が適用されたゴルフボールＧを、本発明者の製品のブランド名に従って「キスキー（Ｋｉｓｓｋｅｙ）」と称する）のように、ポール部Ｐに無ディンプル領域（ＮＤ１、ＮＤ２）を形成したゴルフボールＧが２ピースまたは３ピース全てシームラインＳＬに沿って無ディンプル領域（ＮＤ１、ＮＤ２）を形成したゴルフボールＧより実際にゴルフボールが飛ぶ距離であるキャリーと転ぶロールランの合計距離である飛距離がより長かった。
【００７０】
したがって、本発明のゴルフボールＧでの２つの無ディンプル領域（ＮＤ１、ＮＤ２）はシームラインＳＬに垂直するポール部Ｐに各々配置することは非常に重要な技術的な思想である。
【００７１】
基本的な構成であるディンプル領域ＤＡに無ディンプル領域（ＮＤ１、ＮＤ２）を提供する技術的な思想は、既に前述したように当該業界で公知されたものであるが、本発明の技術的な思想は以下のようなより開発され、新規な技術的な限定と、それに従う進歩性を提供する。
【００７２】
上記の従来の公知の無ディンプル領域を有するゴルフボールに対して本発明が無ディンプル領域（ＮＤ１、ＮＤ２）を有するゴルフボールＧの作用効果を図５ａ及び図５ｂと共に説明する。
【００７３】
図５ａのように、もし打球されたゴルフボールＧが飛翔するようになる場合、ゴルフボールＧのディンプルによる微小な揚力の和である総揚力の増加と共に、打球方向（Ｘ）に対して回転しながら飛ぶ場合、前方からの空気流動体（Ａｉｒ  Ｆｌｕｘ）は無ディンプル領域（例えば、ＮＤ１）のいずれか１つと合うようになる。
【００７４】
合ったいずれか１つの無ディンプル領域ＮＤ１にはディンプルが存在しないので、これを推す反抵抗力（Ｆｒ）が引き起こされてゴルフボールＧは方向（Ｒｘ）に回転して打球進行方向に対して直角に維持するようにする回転がなされる。
【００７５】
この際、もし、さらに回転しようとする場合は、他の１つの無ディンプル領域ＮＤ２が空気流動体と合って反抵抗力（Ｆｌ）が引き起こされて、これ以上の回転は禁止する役割をして、ゴルフボールＧの無ディンプル領域（ＮＤ１、ＮＤ２）を連結する軸中心線ＣＬは打球方向（Ｘ）に対して直角を維持しようとする自動的な姿勢矯正（自家方向矯正作動）が反復的で、かつ一定な抵抗力（Ｒｆ１、Ｒｆ２）のみ印加される作動が持続的に、かつ微視的になされる。
【００７６】
したがって、ゴルフボールＧの打球方向への直進度は一定に維持されることによって、従来のような方向調節能力が低下する問題点が引き起こされず、ゴルフボールＧの直進度はより向上し、後述するように、スライスフック時にも風の影響が最小化される効果を有するようになる。
【００７７】
本発明のゴルフボールＧのより改善された構成が図４に図示される。
【００７８】
図４のゴルフボールＧは、本発明に基づいたゴルフボールＧの無ディンプル領域（ＮＤ１、ＮＤ２）全てに製造社のロゴ、使用者のロゴなどを印刷して構成する視認マークＫを提供するようになれば、視覚的にも打球点にゴルフボールＧを安置する場合、打球方向にゴルフボールＧをインライン（ｉｎｌｉｎｅ）させることが容易であるので、心理的な安定性と前述した空気力学的な作用効果を早期に得ることができる有用性を有する。
【００７９】
また、より好ましくは、無ディンプル領域（ＮＤ１、ＮＤ２）を視覚的に連結する打撃方向指示マークＳＫを長く形成することは視覚的なインライン化と打球方向設定に一層有用である。このような視認性の増大の効果は、本出願人が先出願で多数言及したことがあり、本発明のゴルフボールＧに限定して適用することができる構成要素であり、本発明の主要な思想である２つの無ディンプル領域（ＮＤ１、ＮＤ２）の形成と共に主要な技術要素である。
【００８０】
その作用効果を図６ａ及び図６ｂを通じて説明する。
【００８１】
本発明のゴルフボールＧをゴルファーが任意の方向に打球点（ゴルフティー）に置いて打球する図６ｂと視認マークＫまたは打撃方向指示マークＳＫに沿って打球（ＳＤ）方向にゴルフティー（図示せず）上に安置して打球する場合である図６ａとを比較する。
【００８２】
ゴルファーが任意の方向に打球点（ゴルフティー）に置いて打つ図６ｂのように、打球方向（ＳＤ）にゴルフボールＧを打撃する場合、ゴルフボールＧの飛翔時に空気フラックスＡｆが前面からぶつかるようになる。
【００８３】
この場合、ディンプル領域ＤＡのディンプルがこの空気フラックスと先に合うようになり、したがって、従来のゴルフボールのような原理によりディンプルで微細な渦流Ｖｔ（Ｖｏｒｔｅｘ）が引き起こされ、この渦流の形成によって全体的な空気フラックスはゴルフボールＧの進行方向に対して接続角（ａ）が略１２０度を形成して、ゴルフボールＧと接続して後方に流動しながら真空部ＶがゴルフボールＧの後方に形成されてゴルフボールを後方から引っ張るドラッグ力（Ｄｆ）として作動する。
【００８４】
それに比べて、ゴルファーが視認マークＫまたは打撃方向指示マークＳＫに沿って打球方向に合せてゴルフティー上に安置して打球すれば、図６ａのように、空気フラックスは無ディンプル領域（ＮＤ１、ＮＤ２）と先に合うようになり、打球方向に対して接続角（ｂ）が略８０度角度として分散されることによって、ドラッグ力の発生が形成されないので飛距離が増大する効果を見せる。
【００８５】
このような理由により、本発明のゴルフボールＧに無ディンプル領域（ＮＤ１、ＮＤ２）を形成すると共に、無ディンプル領域（ＮＤ１、ＮＤ２）に視認マークＫを形成したり、無ディンプル領域（ＮＤ１、ＮＤ２）を連結する直線形態の多様な指示線である打撃方向指示マークＳＫを提供したりすることは、視認性を増大してゴルファーが打球を容易にし、打球方向に合せて本発明のゴルフボールＧのインライン（Ｉｎｌｉｎｅ）を容易にして、前述した効果を極大化するための必須要素である。
【００８６】
このような本発明により製造されたゴルフボールＧの作用効果の立証のために多数のゴルフボールをロボット打球実験器で実験した結果が図１２から図１６に図示される。
【００８７】
本発明のゴルフボールＧを本発明の出願人のブランドであるキスキー〔Ｋｉｓｓｋｅｙ（登録商標）〕といい、このゴルフボールＧを各々２ピースボールと３ピースボーロから構成し、図１２の説明図のように、またポール部ＰＰとシームラインＳＬに各々無ディンプル領域（ＮＤ１、ＮＤ２）を形成したゴルフボール４種をロボット打球実験器に適用して実験し、同一な条件下でやはり他のメーカーのゴルフボールである、ブリヂストン〔Ｂｒｉｄｇｅｓｔｏｎｅ（登録商標）〕、ナイキ〔Ｎｉｋｅ（登録商標）〕、キャロウェイ〔Ｃａｌｌａｗａｙ（登録商標）〕、テイラーメイド〔Ｔａｙｌｏｒｍａｄｅ（登録商標）〕、タイトリスト〔Ｔｉｔｌｅｉｓｔ（登録商標）〕の実験結果と比較して見た。
【００８８】
実験結果は、図１３の図表と図１４のグラフ図のように、本発明により構成されたゴルフボールＧであるキスキー２ピースのポール部ＰＰに無ディンプル領域（ＮＤ１、ＮＤ２）を形成したボールであることが明らかになった。
【００８９】
即ち、打球の以後の全体飛距離（飛翔して浮かんでいる距離であるキャリー（Ｃａｒｒｙ）距離＋地面に着地して転ぶローリング（Ｒｏｌｌｉｎｇ）距離）が２０６．１ヤードとして上位値となり、飛距離上の頂点までの距離であるサミット（Ｓｕｍｍｉｔ−Ｘ  ａｘｉｓ）が、１１４．３ヤードとして最も小さな最小値を見せて、上昇及び下降に従う飛距離の損傷が最も小さいことを発見した。したがって、本発明のゴルフボールＧの構成が飛距離を増大させる効果があることが立証された。
【００９０】
同一な条件にポール部ＰＰに無ディンプル領域（ＮＤ１、ＮＤ２）を形成したものが、シームラインＳＬに形成したものに比べて、サミット（Ｓｕｍｍｉｔ−Ｘ  ａｘｉｓ）が減少したことは、シームラインＳＬに沿って高い密度の領域の弾性が高いので、弾道が高くなり、それによって水平距離が減少した結果として判断される。
【００９１】
これは、図１４のグラフ図のように、シームラインＳＬに無ディンプル領域（ＮＤ１、ＮＤ２）を形成したものが飛翔時の高度が高いことを通じても分かる。
【００９２】
また、本発明者の製品名であるキスキー３ピースボールと他のメーカーのゴルフボールである、ブリヂストン〔Ｂｒｉｄｇｅｓｔｏｎｅ（登録商標）〕、ナイキ〔Ｎｉｋｅ（登録商標）〕、キャロウェイ、テイラーメイド〔Ｔａｙｌｏｒｍａｄｅ（登録商標）〕、タイトリスト〔Ｔｉｔｌｅｉｓｔ（登録商標）〕のゴルフボールとの比較実験で人為的にゴルフボールに対してロボット打球実験器でスライスショット（Ｓｌｉｃｅ  ｓｈｏｔ：ゴルフボールの打撃面の接線に対して任意の角を有して打撃が加えられる）を実施した結果、図１５及び図１６のように、打撃線から外れるサイド（Ｓｉｄｅ）値は、本発明に従う製品が最も小さい７．８ヤードを見せているので、自家的な方向調節性による直進性が増大したことが分かる。
【００９３】
上記の構成の本発明のゴルフボールＧは、従来の公知技術のように、ディンプル領域ＤＡに無ディンプル領域（ＮＤ１、ＮＤ２）を提供することに適用した構成であって、前述したように、パッティング時にはディンプルの隅部に打球されることによって直進性が低下して方向調節のコントロールが難しいという問題を解決することができ、パッティング時に無ディンプル領域（ＮＤ１、ＮＤ２）に形成された視認性ロゴ及び無ディンプル領域（ＮＤ１、ＮＤ２）を連結する打球方向指示マークの存在によってゴルフボールＧを打球方向に容易に設定することができ、心理的な安定性が改善されて、いわゆる「イップス（Ｙｐｓ）」というゴルファーの心理的な萎縮を改善する効果、及びティーショット時には無ディンプル領域（ＮＤ１、ＮＤ２）の視認性ロゴによって最も好ましい打撃位置に容易にゴルフティー上で設定して使用するようにすることで、正確な打球が誘導されて飛距離が増大し、スライスショット時にも前述する自家方向調節性に起因してゴルフボールの直進性を最大限保障するなどの作用効果を見せた。
【産業上の利用可能性】
【００９４】
本発明の実際の生産により販売を遂行しようとするが、このようなゴルフボールＧの特性を消費者であるゴルファーに認識させることが困難であるので、本発明のゴルフボールＧに適合したパッケージが図１７に図示される。
【００９５】
本パッケージＰＣでは、紙、ビニールなどからなる包装収容体を図示するように封筒形状にし、本発明のゴルフボールＧを収容し、かつ一部だけ露出されるボールウィンドウ１０１を形成し、この間にゴルフボールＧの無ディンプル領域（ＮＤ１、ＮＤ２）のいずれか１つを露出して包装することによって、陳列売台などでのゴルファーである使用者がこのような実物のゴルフボールＧとパッケージＰＣに記載された説明部を通じて容易にその有用性を把握することができるので、本発明のゴルフボールＧの販売を増進できるようにすることも付随的な要素である。
【符号の説明】
【００９６】
Ｇ      ゴルフボール
Ｓ      （ゴルフボールの）外表面
ＤＡ    ディンプル領域
Ｄ      ディンプル
ＮＤ１  無ディンプル領域
ＮＤ２  無ディンプル領域
ＳＬ    シームライン
ＳＴ    ステム
ＴＴ    分枝ステム
ＯＣ    円弧
ＣＬ    軸中心線
Ｋ      視認マーク
ＳＫ    打撃方向指示マーク
Ｆｒ    反抵抗力
Ｒｘ    方向
Ｘ      打球方向
Ｒｆ１    抵抗力
Ｒｆ２    抵抗力
Ａｆ      空気フラックス
ＳＤ      打球方向
Ｖｔ      渦流
Ｖ        真空部
Ｄｆ      ドラッグ力
ＰＰ      ポール部
Ｆ１      金型
Ｆ２      金型
Ｍ        接続面
Ｑ        赤道線
ｌ１      区画線
ｌ２      区画線
ｌ３      区画線
ＰＣ      パッケージ
１００    包装収容体
１０１    ボールウィンドウ
【図１】
2015529511.tif 000003
【図２】
2015529511.tif 000004
【図３】
2015529511.tif 000005
【図４】
2015529511.tif 000006
【図５ａ】
2015529511.tif 000007
【図５ｂ】
2015529511.tif 000008
【図６ａ】
2015529511.tif 000009
【図６ｂ】
2015529511.tif 000010
【図７ａ】
2015529511.tif 000011
【図７ｂ】
2015529511.tif 000012
【図８】
2015529511.tif 000013
【図９】
2015529511.tif 000014
【図１０】
2015529511.tif 000015
【図１１】
2015529511.tif 000016
【図１２】
2015529511.tif 000017
【図１３】
2015529511.tif 000018
【図１４】
2015529511.tif 000019
【図１５】
2015529511.tif 000020
【図１６】
2015529511.tif 000021
【図１７】
2015529511.tif 000022
【国際調査報告】
2015529511.tif 000023
2015529511.tif 000024
2015529511.tif 000025
2015529511.tif 000026